(57)【特許請求の範囲】
【請求項１】
植物、地面または成長基材への施用のための、
（Ａ）メチルグリシン二酢酸（ＭＧＤＡ）のアルカリ金属塩、ならびにグルタミン酸二酢酸（ＧＬＤＡ）のアルカリ金属塩の中から選択される１種以上のアミノカルボキシレート、
（Ｂ）無機リン酸塩、無機亜リン酸塩、無機硝酸塩、アンモニウム塩およびカリウム塩の中から選択される少なくとも１種の無機化合物、および
（Ｃ）任意選択で水
を含む配合物の使用。
【請求項２】
無機化合物（Ｂ）が、リン酸二水素ナトリウム、リン酸水素二ナトリウム、リン酸二水素アンモニウム、リン酸水素二アンモニウム、リン酸二水素カリウム、リン酸水素二カリウム、硝酸カリウム、硝酸ナトリウム、硫酸アンモニウム、過リン酸塩、ならびにトリポリリン酸のアルカリ金属塩およびアルカリ土類金属塩、ならびに天然リン酸塩含有無機物の中から選択される、請求項１に記載の使用。
【請求項３】
肥料としての使用である、請求項１または２に記載の使用。
【請求項４】
配合物が、尿素およびクエン酸およびそのアルカリ金属塩の中から選択される少なくとも１種の有機化合物（Ｄ）を含む、請求項１から３のいずれか１項に記載の使用。
【請求項５】
無機化合物（Ｂ）が、天然リン酸塩含有無機物の中から選択される、請求項１から４のいずれか１項に記載の使用。
【請求項６】
配合物が、キレート形態のＣａ２＋、Ｍｇ２＋、Ｃｕ２＋、Ｍｎ２＋、Ｚｎ２＋、Ｆｅ２＋、Ｆｅ３＋、Ａｌ３＋、Ｃｒ３＋およびＣｏ２＋の中から選択される少なくとも１種のカチオンを含む、請求項１から５のいずれか１項に記載の使用。
【請求項７】
（Ａ）メチルグリシン二酢酸（ＭＧＤＡ）のアルカリ金属塩、ならびにグルタミン酸二酢酸（ＧＬＤＡ）のアルカリ金属塩の中から選択される１種以上のアミノカルボキシレート、
（Ｂ）無機リン酸塩、無機亜リン酸塩、無機硝酸塩、アンモニウム塩およびカリウム塩の中から選択される少なくとも１種の無機化合物、および
（Ｃ）任意選択で水
を含む少なくとも１種の配合物を、地面および／または植物に機械的にまたは手作業で施用する、植物を施肥する方法。
【請求項８】
前記配合物が、少なくとも１種のポリアミノカルボキシレート（Ａ）をさらに含む、請求項７に記載の方法。
【請求項９】
無機化合物（Ｂ）が、リン酸二水素ナトリウム、リン酸水素二ナトリウム、リン酸二水素アンモニウム、リン酸水素二アンモニウム、リン酸二水素カリウム、リン酸水素二カリウム、硝酸カリウム、硝酸ナトリウム、硫酸アンモニウム、過リン酸塩、ならびにトリポリリン酸のアルカリ金属塩およびアルカリ土類金属塩、ならびに天然リン酸塩含有無機物の中から選択される、請求項７または８に記載の方法。
【請求項１０】
前記配合物が、キレート形態のＣａ２＋、Ｍｇ２＋、Ｃｕ２＋、Ｍｎ２＋、Ｚｎ２＋、Ｆｅ２＋、Ｆｅ３＋、Ａｌ３＋、Ｃｒ３＋およびＣｏ２＋の中から選択される少なくとも１種のカチオンを含む、請求項７から９のいずれか１項に記載の方法。
【請求項１１】
前記配合物が、
（Ｄ）尿素およびクエン酸およびそのアルカリ金属塩の中から選択される有機化合物、
（Ｅ）除草剤、殺真菌剤および殺虫剤の中から選択される活性物質
の中から選択される少なくとも１種の更なる物質を含む、請求項７から１０のいずれか１項に記載の方法。
【請求項１２】
植物または地面または成長基材への施用のための、
（Ａ）メチルグリシン二酢酸（ＭＧＤＡ）のアルカリ金属塩、ならびにグルタミン酸二酢酸（ＧＬＤＡ）のアルカリ金属塩の中から選択される１種以上のアミノカルボキシレート
を含む水性配合物の使用。
【発明の詳細な説明】
【技術分野】
【０００１】
本発明は、植物、地面または成長基材への施用のための、
（Ａ）メチルグリシン二酢酸（ＭＧＤＡ）およびそのアルカリ金属塩、ならびにグルタミン酸二酢酸（ＧＬＤＡ）およびそのアルカリ金属塩の中から選択される１種以上のアミノカルボキシレート、
（Ｂ）無機リン酸塩、無機亜リン酸塩、無機硝酸塩、アンモニウム塩およびカリウム塩の中から選択される少なくとも１種の無機化合物、および
（Ｃ）任意選択で水
を含む配合物の使用に関する。
【０００２】
本発明はさらに、
（Ａ）メチルグリシン二酢酸（ＭＧＤＡ）およびそのアルカリ金属塩、ならびにグルタミン酸二酢酸（ＧＬＤＡ）およびそのアルカリ金属塩の中から選択される１種以上のアミノカルボキシレート、
（Ｂ）無機リン酸塩、無機亜リン酸塩、無機硝酸塩、アンモニウム塩およびカリウム塩の中から選択される少なくとも１種の無機化合物、および
（Ｃ）任意選択で水
を含む配合物に関する。
【０００３】
本発明はさらに、本発明による配合物の調製のための方法に関する。本発明はさらに、植物または地面または成長基材に施用する、
（Ａ）メチルグリシン二酢酸（ＭＧＤＡ）およびそのアルカリ金属塩、ならびにグルタミン酸二酢酸（ＧＬＤＡ）およびそのアルカリ金属塩の中から選択される１種以上のアミノカルボキシレート
を含む水性配合物の使用に関する。
【背景技術】
【０００４】
肥沃度の点から土壌の収率を改善する試みが長く試みられてきた。肥料、特に、ＮＰＫ肥料として公知のものを使用することによって、必須無機物含量を改善することが実際に可能である。しかし、多くの場合、土壌に供給された無機物の一部分のみが植物中に実際に取り込まれることが観察される。対照的に、供給された無機物のかなりの部分が取り込まれずに、地下水に入り、特に、硝酸塩およびリン酸塩は望ましくない。したがって、過剰な肥料施用は許容できない。
【０００５】
低い肥料濃度での通常の施肥は、時間がかかりすぎる。
【０００６】
リン酸塩のバイオアベイラビリティーは、１つの問題である。多くの場合、水にやや溶けにくい溶形態のリン酸塩を含むリン酸塩無機物は、多くの場合、リン酸塩肥料として本質的に有効ではない。溶液として既に提案されてきた可溶性リン酸塩として公知のものの使用は、溶解した形態の多量のカルシウムイオンまたは鉄イオンを含む土壌において、やや溶けにくいリン酸塩の沈殿をもたらし、それゆえリン酸塩のバイオアベイラビリティーの問題は解決したとはみなされない。可溶性リン酸塩の無機化として公知のものは、土壌の組成によって２週間未満の期間以内に起こり得る。
【先行技術文献】
【特許文献】
【０００７】
【特許文献１】ＵＳ６１６２２５９Ａ
【発明の概要】
【発明が解決しようとする課題】
【０００８】
したがって、１つの目的は、その無機肥料成分が土壌または植物に容易に取り込まれることができる配合物を提供することである。さらなる目的は、無機肥料、特に、リン酸塩が、土壌または植物に容易に取り込まれることができる、配合物の使用を提供することであった。さらなる目的は、リン酸塩を生物が容易に利用可能なものにし得る方法を提供することであった。
【課題を解決するための手段】
【０００９】
それに応じて、最初に定義した使用および配合物が見出されてきた。
【００１０】
本発明によれば、植物または地面または成長基材への施用のための、
（Ａ）メチルグリシン二酢酸（ＭＧＤＡ）およびそのアルカリ金属塩、ならびにグルタミン酸二酢酸（ＧＬＤＡ）およびそのアルカリ金属塩の中から選択される１種以上のアミノカルボキシレート（いずれの場合にも、アミノカルボキシレート（Ａ）、または他に簡潔に短縮して、化合物（Ａ）とまた称される）、
（Ｂ）無機リン酸塩、無機亜リン酸塩、無機硝酸塩、アンモニウム塩およびカリウム塩の中から選択される少なくとも１種の無機化合物（略して、無機化合物（Ｂ）とも呼ばれる）、ならびに
（Ｃ）任意選択で水
を含む少なくとも１種の配合物を使用する。
【発明を実施するための形態】
【００１１】
化合物（Ａ）は、遊離酸として、または好ましくは、部分的にもしくは完全に中和された形態で、すなわち、塩として存在することができる。適切な対イオンの例は、無機カチオン、例えば、アンモニウム、アルカリ金属もしくはアルカリ土類金属、好ましくはＭｇ２＋、Ｃａ２＋、Ｎａ＋、Ｋ＋、または有機カチオン、好ましくは１つ以上の有機基で置換されているアンモニウム、特に、トリエタノールアンモニウム、Ｎ，Ｎ−ジエタノールアンモニウム、Ｎ−モノ−Ｃ１〜Ｃ４−アルキルジエタノールアンモニウム、例えば、Ｎ−メチルジエタノールアンモニウムまたはＮ−ｎ−ブチルジエタノールアンモニウム、およびＮ，Ｎ−ジ−Ｃ１〜Ｃ４−アルキルエタノールアンモニウムである。好ましいイオンは、アルカリ金属イオン、特に好ましくはＮａ＋およびＫ＋である。
【００１２】
本発明の一実施形態において、化合物（Ａ）は、アミノカルボキシレート（Ａ）の誘導体の中から、例えば、これらのメチルまたはエチルエステルから選択される。
【００１３】
化合物（Ａ）は、メチルグリシン二酢酸（ＭＧＤＡ）およびグルタミン酸二酢酸（ＧＬＤＡ）、ならびにこれらの誘導体、ならびに好ましくはこれらの塩、特に、これらのナトリウム塩およびカリウム塩の中から選択される。非常に特に好ましいのは、メチルグリシン二酢酸およびＭＧＤＡの三ナトリウム塩である。
【００１４】
本発明の一実施形態において、使用される配合物は、メチルグリシン二酢酸（ＭＧＤＡ）およびそのアルカリ金属塩、ならびにグルタミン酸二酢酸（ＧＬＤＡ）およびそのアルカリ金属塩の中から選択される少なくとも１種のアミノカルボキシレート（Ａ）、ならびにさらに少なくとも１種のポリアミノカルボキシレート（Ａ）を含むものである。
【００１５】
本発明の目的のためには、ポリアミノカルボキシレート（Ａ）は、上記のような、互いに独立して、それぞれの場合に、部分的にまたは完全に中和することができる１つまたは２つのＣＨ２−ＣＯＯＨ基を含む、少なくとも２つの第三級アミノ基を含む有機化合物を意味すると理解される。
【００１６】
本発明の別の実施形態において、ポリアミノカルボキシレート（Ａ）は、上記のような、それぞれが部分的にまたは完全に中和することができる１つのＣＨ（ＣＯＯＨ）ＣＨ２−ＣＯＯＨ基を含む、少なくとも２つの第二級アミノ基を含む有機化合物の中から選択される。
【００１７】
好ましいポリアミノカルボキシレート（Ａ）は、１，２−ジアミノエタン四酢酸（ＥＤＴＡ）、エチレンジアミン二コハク酸（ＥＤＤＳ）、ジエチレントリアミン五酢酸（ＤＴＰＡ）、ヒドロキシエチレンジアミン三酢酸（ＨＥＤＴＡ）およびこれらのそれぞれの塩、特に、アルカリ金属塩の中から選択され、非常に特に好ましいのは、ナトリウム塩およびカリウム塩、ならびに混合ナトリウムカリウム塩である。
【００１８】
無機化合物（Ｂ）は、無機リン酸塩、無機亜リン酸塩、無機硝酸塩、アンモニウム塩およびカリウム塩の中から選択され、無機化合物（Ｂ）は上記のカテゴリーの１つ以上の範囲に含まれ得る。
【００１９】
無機硝酸塩の例は、硝酸ナトリウム、硝酸アンモニウムおよび硝酸カリウムであり、硝酸カリウムは、カリウム塩という用語の範囲および無機硝酸塩の範囲の両方に含まれる無機化合物（Ｂ）の一例である。
【００２０】
カリウム塩およびアンモニウム塩は、無機または有機対イオンを有してもよく、無機対イオンが好ましい。
【００２１】
無機化合物（Ｂ）として選択し得るカリウム塩の例は、塩化カリウム、硫酸カリウム、硝酸カリウム、クエン酸カリウム、リン酸二水素カリウム、リン酸水素二カリウム、メタリン酸カリウム、オルトリン酸カリウム、ならびにＭＧＤＡまたはＧＬＤＡのカリウム塩であり、硝酸カリウム、リン酸二水素カリウム、リン酸水素二カリウム、メタリン酸カリウム、オルトリン酸カリウム、ならびにＭＧＤＡまたはＧＬＤＡのカリウム塩は、本発明の範囲内の複数の用語の範囲に含まれる化合物の例である。
【００２２】
アンモニウム塩の例は、硫酸アンモニウム、硝酸アンモニウム、クエン酸アンモニウム、塩化アンモニウム、リン酸二水素アンモニウム、リン酸水素二アンモニウム、メタリン酸アンモニウム、オルトリン酸アンモニウム、ならびにＭＧＤＡまたはＧＬＤＡのアンモニウム塩であり、硝酸アンモニウム、リン酸二水素アンモニウム、リン酸水素二アンモニウム、メタリン酸アンモニウム、オルトリン酸アンモニウム、ならびにＭＧＤＡおよびＧＬＤＡのアンモニウム塩は、本発明の範囲内の複数の用語の範囲に含まれる化合物の例である。
【００２３】
無機リン酸塩の例は、メタリン酸、オルトリン酸、二リン酸またはより高級ポリリン酸（三リン酸を含めた）の無機および有機の塩である。「オルトリン酸の塩」という用語は、対応するリン酸一水素塩およびリン酸二水素塩を含む。
【００２４】
無機リン酸塩の別の例は、天然リン酸塩含有無機物、いわゆる、天然リン酸塩または粗リン酸塩、例えば、アパタイト、例えば、ヒドロキシアパタイトである。
【００２５】
本発明の一実施形態において、無機化合物（Ｂ）は、リン酸二水素ナトリウム、リン酸水素二ナトリウム、リン酸二水素アンモニウム、リン酸水素二アンモニウム、リン酸二水素カリウム、リン酸水素二カリウム、硝酸カリウム、硝酸ナトリウム、硫酸アンモニウム、過リン酸塩、ならびにトリポリリン酸のアルカリ金属塩およびアルカリ土類金属塩、ならびに天然リン酸塩含有無機物の中から選択される。
【００２６】
一般に、天然リン酸塩は、ある特定の量の不純物を含む。この状況において、不純物は、問題となっている天然リン酸塩が通常有する一般式の一部ではない要素の化合物であると考えられる。このように、ヒドロキシアパタイトは、一般に、それに割り当てられた式Ｃａ５（ＰＯ４）３（ＯＨ）を有する。さらに、例えば、ＭｇＯ、Ａｌ２Ｏ３、Ｆｅ２Ｏ３、Ｆ−、ＣＯ３２−、ＳＯ４２−、ＳｉＯ２（もしくはシリケート）またはＣｌ−含量が存在することが可能である。
【００２７】
一般に、天然リン酸塩は、水にやや溶けにくい。これらを本発明によって使用することが望ましい場合、例えば、本発明による配合物において、これらを例えば、０．５〜５００μｍ、好ましくは２〜１００μｍの範囲の平均粒子直径を有する粉砕した形態で用いることが好ましい。粉砕は、例えば摩砕によって実施することができる。
【００２８】
本発明によると、水（Ｃ）を含み得る配合物を使用する。本発明による配合物は、水（Ｃ）を含み得る。水は、本発明による総配合物、または本発明によって使用される総配合物に基づいて、例えば、０．１〜１０質量％の量で存在し得る。別の実施形態において、本発明による配合物、または本発明によって使用される配合物は、１０超〜９５質量％の水を含む。本発明の別の実施形態において、本発明による配合物、または本発明によって使用される配合物は、９５．０１〜９９．９質量％の範囲の水（Ｃ）を含む。
【００２９】
本発明による配合物は、粉末、湿った粉末、懸濁液、粉末スラリーまたは溶液として存在し得る。
【００３０】
本発明による配合物を用いるために、これらは植物または地面または成長基材に、例えば、肥料として施用することができる。この目的のために、本発明による配合物は、露出土壌もしくは成長基材に、または植生していない土壌もしくは成長基材に、手作業でまたは機械的に施用することができ、あるいは他に本発明による配合物は、植物に手作業でまたは機械的に施用し得る。
【００３１】
本発明の目的のために、成長基材は、例えば、水耕栽培または温室において用いられる土壌含有基材および産業用土壌を意味すると理解される。
【００３２】
適切な植物の例は、野菜、穀類、樹木、根菜、潅木、低木および花である。特に好ましいのは、アブラナ、コムギ、アワ／ソルガム、ライムギ、オオムギ、アボカド、柑橘類果実、マンゴー、コーヒー、落葉樹作物、ブドウおよび他の小果樹植物、豆、特に、ダイズ豆、さらに、トウモロコシ、トマト、キュウリ、特に、ズッキーニおよびサラダ用キュウリ、カボチャ、さらに、石果、レタス、ジャガイモ、飼料ビート、サトウダイコン、パプリカ、サトウキビ、ホップ、タバコ、パイナップル、ヤシ、特に、ココヤシ、さらに、ゴムノキ（ブラジルゴムノキ（Ｈｅｖｅａ  ｂｒａｓｉｌｉｅｎｓｉｓ）を含めた）、ならびに観賞植物、特に、バラ、ダリア、アジサイ、チューリップ、スイセン、ラッパズイセン、カーネーションおよびキクである。
【００３３】
施用の目的のために、本発明による配合物は、例えば、飛行機もしくは車両によって処理する区域の上に施用することができ、または灌漑システムの助けによって施用することができる。施用のタイプは、噴霧および根への投与、液体または固体である。
【００３４】
本発明の一実施形態において、キレート形態のＣａ２＋、Ｍｇ２＋、Ｃｕ２＋、Ｍｎ２＋、Ｚｎ２＋、Ｆｅ２＋、Ｆｅ３＋、Ａｌ３＋、Ｃｒ３＋およびＣｏ２＋の中から選択される少なくとも１種のカチオンを含む少なくとも１種の配合物を使用する。この状況において、問題となっているカチオンは好ましくは、化合物（Ａ）によってキレート化される。
【００３５】
本発明の一実施形態において、本発明によって使用される配合物は、化合物（複数可）（Ａ）の総量に基づいて、合計で０．００１〜１０質量％、好ましくは０．０１〜５質量％の範囲のＣａ２＋、Ｍｇ２＋、Ｃｕ２＋、Ｍｎ２＋、Ｚｎ２＋、Ｆｅ２＋、Ｆｅ３＋、Ａｌ３＋、Ｃｒ３＋およびＣｏ２＋の中から選択されるキレート化カチオン（複数可）を含む。
【００３６】
本発明の一実施形態において、本発明によって使用される配合物は、さらなる微量元素、例えば、ホウ素（ホウ酸塩として）またはモリブデンを含み得る。
【００３７】
本発明の一実施形態において、本発明によって使用される配合物は、化合物（複数可）（Ａ）の総量に基づいて、合計で０．００１〜１０質量％、好ましくは０．０１〜５質量％の範囲のさらなる微量元素、例えば、化合物（複数可）（Ａ）の総量に基づいて、合計で０．００１〜１０質量％、好ましくは０．０１〜５質量％の範囲のホウ素（ホウ酸塩として）またはモリブデンを含み得る。
【００３８】
本発明の一実施形態において、少なくとも１種の配合物が本発明によって使用され、配合物は、尿素およびクエン酸およびそのアルカリ金属塩の中から選択される少なくとも１種の有機化合物（Ｄ）を含む。好ましいクエン酸のアルカリ金属塩は、クエン酸三カリウム（「クエン酸カリウム」）およびクエン酸の三ナトリウム塩（「クエン酸ナトリウム」）である。
【００３９】
本発明の一実施形態において、少なくとも１種の配合物が本発明によって使用され、配合物は、殺真菌剤、除草剤および殺虫剤の中から選択される少なくとも１種の活性物質（Ｅ）を含む。
【００４０】
本発明の一実施形態において、少なくとも１種の配合物が本発明によって使用され、配合物は、湿潤剤、消泡剤、界面活性剤および展着剤（展着のための薬剤）の中から選択される少なくとも１種の添加物（Ｆ）を含む。特に適切な添加物（Ｆ）は、無機界面活性剤、例えば、１分子当たり１〜６つのエチレンオキシド単位を有する、Ｃ８〜Ｃ２０−アルキル硫酸塩、Ｃ８〜Ｃ２０−アルキルスルホン酸塩およびＣ８〜Ｃ２０−アルキルエーテル硫酸塩である。この状況において、例えば、同じ界面活性剤が、湿潤剤として、消泡剤として、または湿潤剤および消泡剤として作用することが可能である。
【００４１】
本発明の一実施形態において、少なくとも１種のさらなる無機化合物、例えば、水酸化ナトリウムまたは無機硫酸塩を含む、少なくとも１種の配合物が、本発明によって使用される。
【００４２】
本発明のさらなる主題は、
（Ａ）メチルグリシン二酢酸（ＭＧＤＡ）およびそのアルカリ金属塩、ならびにグルタミン酸二酢酸（ＧＬＤＡ）およびそのアルカリ金属塩の中から選択される１種以上のアミノカルボキシレート、
（Ｂ）少なくとも１種の無機化合物（Ｂ）、および
（Ｃ）任意選択で水
を含む配合物である。
【００４３】
本発明の一実施形態において、本発明による配合物は、少なくとも１種のアミノカルボキシレート（Ａ）および少なくとも１種のポリアミノカルボキシレート（Ａ）を含む。
【００４４】
アミノカルボキシレート（Ａ）、ポリアミノカルボキシレート（Ａ）および化合物（Ｂ）は、本明細書の上記に記載されている。
【００４５】
本発明の一実施形態において、無機化合物（Ｂ）は、リン酸二水素ナトリウム、リン酸水素二ナトリウム、リン酸二水素アンモニウム、リン酸水素二アンモニウム、リン酸二水素カリウム、リン酸水素二カリウム、硝酸カリウム、硝酸ナトリウム、硫酸アンモニウム、過リン酸塩、ならびにトリポリリン酸のアルカリ金属塩およびアルカリ土類金属塩、ならびに天然リン酸塩含有無機物の中から選択される。
【００４６】
本発明の一実施形態において、本発明による配合物は、
合計で１〜９０質量％、好ましくは１０〜５０質量％の範囲の、メチルグリシン二酢酸（ＭＧＤＡ）およびそのアルカリ金属塩、ならびにグルタミン酸二酢酸（ＧＬＤＡ）およびそのアルカリ金属塩の中から選択されるアミノカルボキシレート（Ａ）、ならびに任意選択でポリアミノカルボキシレート（Ａ）（ポリアミノカルボキシレート（Ａ）の状況は、０でよい）、ならびに合計で１０〜９９質量％、好ましくは５０〜９０質量％の範囲の無機化合物（Ｂ）
を含む。
【００４７】
この状況において、質量％は、いずれの場合にも、本発明による配合物の固体含量を指す。
【００４８】
本発明による配合物は、水（Ｃ）をさらに含み得る。
【００４９】
本発明の一実施形態において、本発明による配合物は、キレート形態のＣａ２＋、Ｍｇ２＋、Ｃｕ２＋、Ｍｎ２＋、Ｚｎ２＋、Ｆｅ２＋、Ｆｅ３＋、Ａｌ３＋、Ｃｒ３＋およびＣｏ２＋の中から選択される少なくとも１種のカチオンを含む。この状況において、問題となっているカチオンは好ましくは、化合物（Ａ）によってキレート化されている。
【００５０】
本発明の一実施形態において、本発明による配合物は、化合物（複数可）（Ａ）の総量に基づいて、合計で０．００１〜１０質量％、好ましくは０．０１〜５質量％の範囲のＣａ２＋、Ｍｇ２＋、Ｃｕ２＋、Ｍｎ２＋、Ｚｎ２＋、Ｆｅ２＋、Ｆｅ３＋、Ａｌ３＋、Ｃｒ３＋およびＣｏ２＋の中から選択されるキレート化カチオン（複数可）を含む。
【００５１】
本発明の一実施形態において、本発明による配合物は、合計で０．０１〜２質量％、好ましくは０．０２〜１質量％の範囲のキレート形態のＣａ２＋、Ｍｇ２＋、Ｃｕ２＋、Ｍｎ２＋、Ｚｎ２＋、Ｆｅ２＋、Ｆｅ３＋、Ａｌ３＋、Ｃｒ３＋およびＣｏ２＋の中から選択されるカチオン（複数可）を含み、質量パーセントは、無機化合物（Ｂ）の総量に基づいている。
【００５２】
本発明の一実施形態において、本発明による配合物は、さらなる微量元素、例えば、ホウ素（ホウ酸塩として）またはモリブデンを含み得る。
【００５３】
本発明の一実施形態において、本発明による配合物は、化合物（複数可）（Ａ）の総量に基づいて、合計で０．００１〜１０質量％、好ましくは０．０１〜５質量％の範囲のさらなる微量元素、例えば、化合物（複数可）（Ａ）の総量に基づいて、合計で０．００１〜１０質量％、好ましくは０．０１〜５質量％の範囲のホウ素（ホウ酸塩として）またはモリブデンを含み得る。
【００５４】
本発明の一実施形態において、本発明による配合物は、
（Ｄ）尿素およびクエン酸およびそのアルカリ金属塩の中から選択される有機化合物、
（Ｅ）除草剤、殺真菌剤および殺虫剤の中から選択される活性物質、
（Ｆ）湿潤剤、消泡剤、界面活性剤および展着剤の中から選択される添加物
の中から選択される少なくとも１種のさらなる物質を含む。
【００５５】
有機化合物（Ｄ）、活性物質（Ｅ）および添加物（Ｆ）は、本明細書の上記に記載されている。
【００５６】
本発明の一実施形態において、本発明による配合物は、
合計で０〜１５質量％、好ましくは１〜１０質量％の範囲の有機化合物（複数可）（Ｄ）、
合計で０〜５質量％、好ましくは０．１〜２．５質量％の範囲の活性物質（複数可）（Ｅ）、
合計で０〜５質量％、好ましくは０．１〜２質量％の範囲の添加物（複数可）（Ｆ）
を含む。
【００５７】
この状況において、質量％は、いずれの場合にも、本発明による配合物の固体含量を指す。
【００５８】
本発明の一実施形態において、本発明による配合物は、５〜９、好ましくは６〜８の範囲のｐＨを有する。
【００５９】
本発明の一実施形態において、本発明による配合物は、少なくとも１種のさらなる無機化合物、例えば、水酸化ナトリウムまたは無機硫酸塩を含み得る。
【００６０】
本発明による配合物は、大量の望ましくない塩が地下水に到達することなく、または内陸河川コースの富栄養化をもたらすことなく、植物への無機物供給を効率的に改善するために特に適切な様式で使用することができる。
【００６１】
本発明による配合物がＣａ２＋、Ｍｇ２＋、Ｃｕ２＋、Ｍｎ２＋、Ｚｎ２＋、Ｆｅ２＋、Ｆｅ３＋、Ａｌ３＋、Ｃｒ３＋およびＣｏ２＋の中から選択されるキレート化カチオン（複数可）を含む実施形態において、本発明による配合物はさらに、微量栄養素肥料として使用し得る。
【００６２】
本発明のさらなる主題は、本発明の状況において本発明による調製方法としてまた言及される本発明による配合物の調製のための方法である。
【００６３】
本発明による調製方法の一実施形態において、
（Ａ）メチルグリシン二酢酸（ＭＧＤＡ）およびそのアルカリ金属塩、ならびにグルタミン酸二酢酸（ＧＬＤＡ）およびそのアルカリ金属塩の中から選択される１種以上のアミノカルボキシレート（複数可）（Ａ）、
（Ｂ）無機リン酸塩、無機亜リン酸塩、アンモニウム塩およびカリウム塩の中から選択される少なくとも１種の無機化合物
を、水（Ｃ）の存在下で互いに混合し、
水（Ｃ）の全てまたは一部を任意選択で除去する
という手順に従う。
【００６４】
本発明の一実施形態において、少なくとも１種の化合物（Ａ）および少なくとも１種の無機化合物（Ｂ）を、化合物（Ａ）および無機化合物（Ｂ）の総計に基づいて、例えば、１０容量％から１０倍まで（容量に基づく）、水（Ｃ）に溶解する。その後、水（Ｃ）の全てまたは一部を除去し得る。
【００６５】
本発明の別の実施形態において、少なくとも１種の無機化合物（Ｂ）を、化合物（Ａ）および無機化合物（Ｂ）の総計に基づいて、例えば、１０容量％から１０倍まで（容量に基づく）、少なくとも１種の化合物（Ａ）の水（Ｃ）溶液に懸濁させる。その後、水（Ｃ）の全てまたは一部を除去し得る。無機化合物（Ｂ）が天然リン酸塩の形態をとるとき、この実施形態が好ましい。
【００６６】
本発明の別の実施形態において、少なくとも１種の無機化合物（Ｂ）を、化合物（Ａ）および無機化合物（Ｂ）の総計に基づいて、例えば、１０容量％から１０倍まで（容量に基づく）、少なくとも１種の化合物（Ａ）の水（Ｃ）溶液において摩砕する。その後、水（Ｃ）の全てまたは一部を除去し得る。無機化合物（Ｂ）が天然リン酸塩の形態をとるとき、この実施形態が好ましい。
【００６７】
本発明による調製方法の別の実施形態において、水（Ｃ）ならびに
（Ａ）メチルグリシン二酢酸（ＭＧＤＡ）およびそのアルカリ金属塩、ならびにグルタミン酸二酢酸（ＧＬＤＡ）およびそのアルカリ金属塩の中から選択される１種以上のアミノカルボキシレート（複数可）、および
（Ｂ）いずれの場合にも、無機リン酸塩、無機亜リン酸塩、アンモニウム塩およびカリウム塩の中から選択される、少なくとも１種の無機化合物、好ましくは少なくとも２種の無機化合物
の存在下で調製し、
水（Ｃ）の全てまたは一部を、任意選択で除去する
という手順に従う。
【００６８】
このように、例えば、無機化合物（Ｂ）として水酸化カリウムおよびリン酸を選択し、それによってリン酸カリウム、リン酸二水素カリウムおよび／またはリン酸水素二カリウムをインサイチュで調製することが可能である。
【００６９】
別の変形において、無機化合物（Ｂ）として水酸化カリウムを用い、遊離酸（複数可）としてアミノカルボキシレート（複数可）（Ａ）またはポリアミノカルボキシレート（複数可）との混合物を水（Ｃ）の存在下で調製し、この様式で、それぞれの、アミノカルボキシレート（複数可）（Ａ）またはポリアミノカルボキシレート（複数可）のカリウム塩を調製する。
【００７０】
本発明の一実施形態において、特に、本発明による配合物を微量栄養素施肥のために用いるように調製することが要求される場合、Ｃａ２＋、Ｍｇ２＋、Ｃｕ２＋、Ｍｎ２＋、Ｚｎ２＋、Ｆｅ２＋、Ｆｅ３＋、Ａｌ３＋、Ｃｒ３＋およびＣｏ２＋の中から選択される少なくとも１種のカチオンを含む少なくとも１種の化合物もさらに用いる。適切な化合物の例は、硫酸塩、硝酸塩、リン酸塩、ハロゲン化物、特に、塩化物、および特に好ましくは、硝酸塩および硫酸塩である。適切な化合物は、水和水を含んでもよく、または他に無水である。１つの変形において、錯化合物、例えば、Ｃｕ２＋、Ｍｎ２＋、Ｚｎ２＋、Ｆｅ２＋、Ｆｅ３＋、Ａｌ３＋、Ｃｒ３＋もしくはＣｏ２＋のアクオ錯体またはアミノ錯体を用いる。１つの変形において、それぞれがＣａ２＋、Ｍｇ２＋、Ｃｕ２＋、Ｍｎ２＋、Ｚｎ２＋、Ｆｅ２＋、Ｆｅ３＋、Ａｌ３＋、Ｃｒ３＋およびＣｏ２＋の中から選択される少なくとも１種のカチオンを含む複数の化合物を用いる。
【００７１】
本発明の一実施形態において、さらなる化合物、例えば、ホウ酸、ホウ酸ナトリウム、酸化モリブデン、モリブデン酸アンモニウム、モリブデンのヘテロポリ酸もしくはこれらの塩、例えば、リンモリブデン酸、またはリンモリブデン酸のナトリウム塩もしくはアンモニウム塩を加えてもよい。
【００７２】
１つの変形において、Ｃａ２＋、Ｍｇ２＋、Ｃｕ２＋、Ｍｎ２＋、Ｚｎ２＋、Ｆｅ２＋、Ｆｅ３＋、Ａｌ３＋、Ｃｒ３＋およびＣｏ２＋の中から選択される少なくとも１種のカチオンを含む微量の少なくとも１種の化合物が混入した少なくとも１種の無機化合物（Ｂ）を加える。
【００７３】
任意選択で、いずれの場合にも、水（Ｃ）の除去の前または後に、
（Ｄ）尿素およびクエン酸およびそのアルカリ金属塩の中から選択される有機化合物、
（Ｅ）除草剤、殺真菌剤および殺虫剤の中から選択される活性物質、ならびに
（Ｆ）湿潤剤、消泡剤、界面活性剤および展着剤の中から選択される添加物
の中から選択される少なくとも１種のさらなる物質と共にさらに混合物を調製することが可能である。
【００７４】
別の実施形態において、水（Ｃ）を除去することなく、
（Ｄ）尿素およびクエン酸およびそのアルカリ金属塩の中から選択される有機化合物、
（Ｅ）除草剤、殺真菌剤および殺虫剤の中から選択される活性物質、ならびに
（Ｆ）湿潤剤、消泡剤、界面活性剤および展着剤の中から選択される添加物
の中から選択される少なくとも１種のさらなる物質と共にさらに混合物を調製することが可能である。
【００７５】
本発明による調製方法の一実施形態において、水（Ｃ）の全てまたは一部を、蒸発、蒸留、凍結乾燥によって、特に、噴霧乾燥または噴霧造粒によって除去する、という手順に従う。
【００７６】
本発明のさらなる主題は、植物を施肥する方法であり、少なくとも１種の本発明による配合物を、地面および／または植物に機械的にまたは手作業で施用する。
【００７７】
本発明のさらなる主題は、植物または地面への施用のための、
（Ａ）メチルグリシン二酢酸（ＭＧＤＡ）およびそのアルカリ金属塩、ならびにグルタミン酸二酢酸（ＧＬＤＡ）およびそのアルカリ金属塩の中から選択される１種以上のアミノカルボキシレート
を含む水性配合物の使用である。
【００７８】
本発明のさらなる主題は、植物のための成長基材への施用のための、
（Ａ）メチルグリシン二酢酸（ＭＧＤＡ）およびそのアルカリ金属塩、ならびにグルタミン酸二酢酸（ＧＬＤＡ）およびそのアルカリ金属塩の中から選択される１種以上のアミノカルボキシレート
を含む水性配合物の使用である。
【００７９】
２つの最後に記述した使用のための水性配合物は、
（Ｄ）尿素およびクエン酸およびそのアルカリ金属塩の中から選択される有機化合物、
（Ｅ）除草剤、殺真菌剤および殺虫剤の中から選択される活性物質、ならびに
（Ｆ）湿潤剤、消泡剤、界面活性剤および展着剤の中から選択される添加物
の中から選択される少なくとも１種のさらなる物質を含み得る。
【００８０】
しかし、これらは、無機化合物（Ｂ）を含有しない。
【００８１】
２つの最後に記述した使用における特に好ましい化合物（Ａ）は、ＧＬＤＡおよびＭＧＤＡのナトリウム塩、および特に、カリウム塩である。
【００８２】
１つの変形において、いずれの場合にも、Ｃａ２＋、Ｍｇ２＋、Ｃｕ２＋、Ｍｎ２＋、Ｚｎ２＋、Ｆｅ２＋、Ｆｅ３＋、Ａｌ３＋、Ｃｒ３＋およびＣｏ２＋の中から選択される少なくとも１種のカチオンを含む１種以上の化合物は、本発明によるこのような使用においてさらに用いられる。
【００８３】
本発明の一実施形態において、さらなる化合物、例えば、ホウ酸、ホウ酸ナトリウム、酸化モリブデン、モリブデン酸アンモニウム、モリブデンのヘテロポリ酸もしくはこれらの塩、例えば、リンモリブデン酸、またはリンモリブデン酸のナトリウム塩もしくはアンモニウム塩を加えてもよい。
【００８４】
本発明を、実施例によって例示する。
【００８５】
特に他の記載がない限り、全ての％は、質量％である。
【００８６】
Ｉ．本発明による配合物および比較配合物の調製：
Ｉ．１  配合物Ｆ．１の調製
３００ｇのメチルグリシン二酢酸の三カリウム塩（Ａ．１）を、６００ｇの水に溶解した。半濃硫酸でｐＨ７に調節し、混合物を１０００ｇの総質量まで水で希釈した。
【００８７】
これによって、安定的な溶液として配合物Ｆ．１が得られ、これは１２．５％のＫ２Ｏ含量によって、分類０−０−１２．５の肥料を含んでいた。
【００８８】
Ｉ．２  配合物Ｆ．２の調製
２６０ｇのメチルグリシン二酢酸の三ナトリウム塩（Ａ．２）を、６００ｇの水に溶解した。半濃硫酸でｐＨ７に調節し、混合物を１０００ｇの総質量まで水で希釈した。
【００８９】
これによって、安定的な溶液として配合物Ｆ．２が得られた。
【００９０】
Ｉ．３  本発明による配合物ＥＦ．３の調製
２４０ｇのメチルグリシン二酢酸の三カリウム塩（Ａ．１）および１５０ｇのオルトリン酸二アンモニウム（Ｂ．２）を、５６０ｇの水に溶解した。６０ｇのリン酸（Ｂ．３）を使用して、ｐＨ７．５に調節した。これによって、安定的な溶液として本発明による配合物ＥＦ．３が得られ、これは分類２．７−１０．７−８．１の肥料を含んでいた。
【００９１】
Ｉ．４  本発明による配合物ＥＦ．４の調製
２５０ｇのメチルグリシン二酢酸の三カリウム塩（Ａ．１）を２５０ｇのモロッコ産粗リン酸塩０−３０−０（粒径２０〜１００μｍ）（Ｂ．４）と一緒に、３００ｇの水と共にスラリーに作製し、８０℃で６時間撹拌した。その後、６０ｇの濃リン酸（Ｂ．３）を加え、懸濁液を５分の期間に亘り４０℃で撹拌した。その後、混合物を１０００ｇの総質量まで水で希釈した。配合物は、７．５のｐＨを有していた。
【００９２】
これによって、分類０−１１−１０．８の懸濁液として本発明による配合物ＥＦ．４が得られた。
【００９３】
用いたモロッコ産粗リン酸塩は、元素分析による決定によれば、下記の組成を有していた。
【００９４】
Ｐ２Ｏ５  ３０％
ＣａＯ  ４８．０〜４９．５％
ＭｇＯ  ０．３〜０．４％
Ａｌ２Ｏ３  ０．３〜０．５％
Ｆｅ２Ｏ３  １．９〜２．２％
Ｋ２Ｏ  ０．０４〜０．０６％
ＳｉＯ２  ５．０〜６．５％
Ｆ  ３．０〜３．１％
Ｎａ２Ｏ  ０．４〜０．６％
ＣａＣＯ３  １０．２〜１１．８％
（ＣＯ２  ４．５〜５．２％）
ＳＯ４２−  １．５〜２．０（ＳＯ３として決定）
Ｈ２Ｏ  最大４％
Ｃｌ  ０．０５〜０．０９％
Ｉ．５  比較配合物Ｖ−Ｆ．５の調製
３００ｇのリン酸一水素二アンモニウム（Ｂ．２）および９０ｇの水酸化カリウムを５１０ｍｌの水に溶解し、１００ｇの濃リン酸（Ｂ．３）を冷却しながら加えた。これによって、組成物５．４−２０．１−６．３の肥料配合物（ｐＨ７〜８）が得られた。
【００９５】
純水を、比較配合物Ｖ−Ｆ．６として用いた。
【００９６】
ＩＩ．配合物の本発明による使用および比較上の使用
試験のために、本発明による配合物および本発明によらない配合物を、いずれの場合にも水で１／２００の比にて希釈し、これによって、本発明による肥料溶液および本発明によらない肥料溶液が得られた。
【００９７】
ＩＩ．１  トマトの処理
ポット毎にいずれの場合にも１０ｍｌの肥料溶液を使用して、土壌の最初の施肥を行った。３５日後にトマトの木に施肥するために（本明細書の下記を参照されたい）、いずれの場合にも５ｍｌの同じ肥料溶液を、トマトの木に噴霧した。
【００９８】
直径５インチのプラスチックポットを、アルプスのバイエルン丘陵地からの中程度に重い未固結の堆積物である褐色土で満たした。用いた未固結の堆積物である褐色土は、２２ｍｇのＰ２Ｏ５／１００ｇの土壌のリン酸塩含量（Ｐ２Ｏ５として決定）を有していた。
【００９９】
肥料溶液を試験するために、いずれの場合にも１０ポットを栽植した。表１および２に一覧表示するデータのいずれの場合にも、いずれも５ポット／肥料溶液の平均である。
【０１００】
トマトの種子「ベルナーロゼ」（Ｓｏｌａｎｕｍ  ｌｙｃｏｐｅｒｓｉｃｕｍ）を、ポット毎に３つの種子の割合で２．５ｃｍの深さで栽植した。いずれの場合にも１０ｍｌの肥料溶液（上記を参照されたい）による最初の施肥を、栽植の直後に２ｃｍの深さで施用した。トマトの木を、温室において標準条件下で開花期の始まりまで３５日間最初に成長させた。
【０１０１】
３５日後の分析：
いずれの場合にも問題となっている１０ポットのうち５ポットのトマトの木を根の上で切断し、水で洗浄し、２４時間の期間に亘り７５℃で乾燥させた。その後、これらをカリウムおよびリン酸塩について分析した。結果を表１において集計する。
【０１０２】
【表１】
0005957076.tif 000002
【０１０３】
いずれの場合にも１０ポットのいずれの場合にも残りの５ポットのトマトの木に、いずれの場合にも５ｍｌの希釈した肥料配合物を噴霧し、温室において標準条件下でさらに４５日成長させた。７０日後、植物を切断し、未熟の果物を除去し、植物を上記のように分析した。結果を表２においてそれ相応に集計する。
【０１０４】
【表２】
0005957076.tif 000003
【０１０５】
ＩＩ．２  ジャガイモの処理
ろう質のテーブルポテトｃｖ．アナベル（Ａｎｎａｂｅｌｌｅ）を、１．５ヘクタールに栽植した。Ａｍｔ  ｆｕｒ  Ｌａｎｄｗｉｒｔｓｃｈａｆｔ  ｕｎｄ  Ｆｏｒｓｔｅｎ［Ｄｅｐａｒｔｍｅｎｔ  ｏｆ  Ａｇｒｉｃｕｌｔｕｒｅ  ａｎｄ  Ｆｏｒｅｓｔｒｙｌ］Ａｕｇｓｂｕｒｇ、ＡＬＦ  Ａ−２．１Ｐ−Ｓｔａｄｔｂｅｒｇｅｎ、１８．０２．２００９（Ｈｉｎｗｅｉｓｅ  ｚｕｍ  Ｋａｒｔｏｆｆｅｌａｎｂａｕ［Ｎｏｔｅｓ  ｏｎ  ｐｏｔａｔｏ  ｐｌａｎｔｉｎｇ］２００９年）によって推奨されているように栽植した。栽植距離は、いずれの場合にも３３ｃｍであり、作条は７５ｃｍの間隔を開け、これは１ｈａ当たり４１０００植物の植物数に相当した。
【０１０６】
フィールドの土壌は、２１ｍｇ／１００ｇの土壌のリン酸塩含量（Ｐ２Ｏ５として決定）を有していた。
【０１０７】
植物を、比較配合物Ｖ−Ｆ．５を使用して圃場試験区１上で従来通り成長させた。食物区画２を、本発明による配合物ＥＦ．３で処理した。食物区画３は、本発明による配合物ＥＦ．１で処理した（すなわち、リン酸塩を添加しない）。Ｖ−Ｆ．６を、圃場試験区４において用いた。
【０１０８】
施肥を、いずれの場合にも本発明によって、および比較のために春に２５０ｋｇ／ｈａ、および塊茎形成（ｂｕｆｆｉｎｇ  ｕｐ）の初めにさらに２００ｋｇ／ｈａを施用することによって、２工程の基肥の形態で行った。栽植の６０日後、いずれの場合にも２５０ｋｇ／ｈａの追肥を、葉面施用によって施用した。キーゼライト（２７％ＭｇＯ）の形態のマグネシウムによる施肥は、４５ｋｇのＭｇＯ／ｈａ（基肥）で常に行った。カリウム塩を補充することによって、（変換した）１４０ｋｇのＫ２Ｏ／ｈａのＫ２Ｏの計算された総量を合計で施用した。窒素施肥を、（合計で）１６０ｋｇ／ｈａの量で行う。
【０１０９】
さらに、区画を、同様に管理した（栽植密度、芽出し、有害生物駆除、疾患予防など、ＡＬＦ  Ａ−２．１Ｐ−を参照されたい）。
【０１１０】
１６０日後、植物を収穫した。結果を表３に集計する。
【０１１１】
リンを、乾燥した粉末化ジャガイモを使用して決定し、Ｐ含量を収穫したばかりのジャガイモの質量に変換した。この目的のために、２５ｋｇのジャガイモ（ランダムに選択）を最初に細断し、乾燥させ、次いで粉末化した。Ｐ含量を、元素分析によって決定した。
【０１１２】
【表３】
0005957076.tif 000004
【０１１３】
したがって、別々のＰ施肥は行わなかったが、圃場試験区３において良好な結果が得られた。
【０１１４】
ＩＩＩ．微量栄養素肥料としての使用
下記の配合物を、微量栄養素肥料としての使用のために調製する。
【０１１５】
ＩＩＩ．１  本発明による配合物ＥＦ．７の調製
３００ｇのメチルグリシン二酢酸の三カリウム塩（Ａ．１）を、６００ｇの水に溶解する。下記をまた加える。
【０１１６】
１７１ｍｇのホウ酸（０．０１質量％のホウ素に相当する）、
４７ｍｇのＣｕＳＯ４・５Ｈ２Ｏ（０．００４質量％の銅に相当する）、
１１１ｍｇのＭｎＳＯ４・Ｈ２Ｏ（０．０１２質量％のマンガンに相当する）、
５５ｍｇのＺｎ（ＮＯ３）２・６Ｈ２Ｏ（０．００４質量％の亜鉛に相当する）、
７３ｍｇのリンモリブデン酸（１２ＭｏＯ３・Ｈ３ＰＯ４×Ｈ２Ｏ、水分含有率２２質量％、０．００１質量％のモリブデンに相当する。
【０１１７】
混合物を、半濃硫酸を使用してｐＨ７とし、１０００ｇの総質量まで水で希釈する。
【０１１８】
これによって、本発明による配合物ＥＦ．７が得られる。これは、例えば、アジサイの肥料としての使用に適している。
【０１１９】
ＩＩＩ．２  本発明による配合物ＥＦ．８の調製
２４０ｇのメチルグリシン二酢酸の三カリウム塩（Ａ．１）および１５０ｇのジアンモニウムオルトホスフェート（Ｂ．２）を、５６０ｇの水に溶解する。
【０１２０】
２６５ｍｇのホウ酸（０．０１質量％のホウ素に相当する）、
１２２ｍｇのＣｕＳＯ４・５Ｈ２Ｏ（０．００７質量％の銅に相当する）、
１４２ｍｇのＭｎＳＯ４・Ｈ２Ｏ（０．０１３質量％のマンガンに相当する）、
１１９ｍｇのＺｎ（ＮＯ３）２・６Ｈ２Ｏ（０．００６質量％の亜鉛に相当する）、
３．０ｇのＦｅＳＯ４・７Ｈ２Ｏ（０．２質量％の鉄に相当する）
１０９ｍｇのリンモリブデン酸（１２ＭｏＯ３・Ｈ３ＰＯ４×Ｈ２Ｏ、水分含有率２２質量％、０．００１質量％のモリブデンに相当する）
６０ｇのリン酸（Ｂ．３）を加える。これによって、本発明による配合物ＥＦ．８が得られる。これは、例えば、バラの肥料としての使用に適している。
【０１２１】
ＩＩＩ．３  本発明による配合物ＥＦ．９の調製
２４０ｇのメチルグリシン二酢酸の三カリウム塩（Ａ．１）、７５ｇの硫酸アンモニウムおよび７５ｇの硝酸カリウム（Ｂ．２）を、５６０ｇの水に溶解する。
【０１２２】
２６５ｍｇのホウ酸（０．０１質量％のホウ素に相当する）、
７０ｍｇのＣｕＳＯ４・５Ｈ２Ｏ（０．００７質量％の銅に相当する）、
１３１ｍｇのＭｎＳＯ４・Ｈ２Ｏ（０．０１３質量％のマンガンに相当する）、
４．０ｇのＺｎ（ＮＯ３）２・６Ｈ２Ｏ（０．２質量％の亜鉛に相当する）、
３．０ｇのＦｅＳＯ４・７Ｈ２Ｏ（０．２質量％の鉄に相当する）
１０９ｍｇのリンモリブデン酸（１２ＭｏＯ３・Ｈ３ＰＯ４×Ｈ２Ｏ、水分含有率２２質量％、０．００１質量％のモリブデンに相当する）
６０ｇのリン酸（Ｂ．３）を加える。これによって、本発明による配合物ＥＦ．９が得られる。これは、例えば、柑橘類果実の肥料としての使用に適している。